【手続補正書】
【提出日】平成30年11月22日(2018.11.22)
【手続補正１】
【補正対象書類名】特許請求の範囲
【補正対象項目名】全文
【補正方法】変更
【補正の内容】
【特許請求の範囲】
【請求項１】
材料の第１サンプルの第１パラメーターＳを算出する方法であって、
材料が実質的に吸収を示さない第１波長および第２波長を決定する段階と、
前記第１波長における前記第１サンプルの透過率を測定する段階と、
前記第２波長における前記第１サンプルの透過率を測定する段階と、
第１回帰係数を含む第１多変数回帰モデルを使用して第１サンプルの第１パラメーターを算出する段階であって、第１パラメーターは第１波長および第２波長において第１サンプルによって散乱される放射線の総量に影響を及ぼすパラメーターである段階と、
を有する方法。
【請求項２】
前記第１波長における前記第１サンプルの透過率を測定する段階は、前記第１波長を含む入射放射線で前記第１サンプルを照射し、前記第１波長において前記第１サンプルによって透過される放射線の強度を測定する段階を有する、請求項１に記載の方法。
【請求項３】
前記第１波長における前記第１サンプルの透過率を測定する段階は、前記第１波長における放射線をフィルタリングする段階を有し、および／または前記第２波長における前記第１サンプルの透過率を測定する段階は、第２波長における放射線をフィルタリングする段階を有する、請求項１または２のいずれかに記載の方法。
【請求項４】
前記第１波長における放射線をフィルタリングする段階は、前記第１サンプルに入射する放射線および／または前記第１波長において前記１のサンプルによって透過される放射線に対して行われる、請求項３に記載の方法。
【請求項５】
前記第２波長における前記第１サンプルの透過率を測定する段階は、前記第２波長を含む入射放射線で前記第１サンプルを照射し、前記第２波長において前記第１サンプルによって透過される放射線の強度を測定するステップを含む、請求項請求項１〜４のいずれかに記載の方法。
【請求項６】
前記第２波長の放射線をフィルタリングする段階は、前記第１サンプルに入射する放射線および／または前記第２波長において前記第１サンプルによって透過される放射線に対して行われる、請求項１〜５のいずれかに記載の方法。
【請求項７】
前記第１波長および前記第２波長は、可視および／または赤外波長で、選択的に近赤外および／または中赤外波長である、請求項１〜６のいずれかに記載の方法。
【請求項８】
前記第１波長および／または第２波長の少なくともいずれか１つは、散乱影響波長である、請求項１〜７のいずれかに記載の方法。
【請求項９】
前記第１波長における前記第１サンプルによって示される散乱の量は、前記第２波長における前記第１サンプルによって示される散乱の量とは異なる、請求項１〜８のいずれかに記載の方法。
【請求項１０】
前記第１パラメーターＳは、前記第１サンプルの細孔率、厚さ、および／または密度に関連するパラメーターである、請求項１〜９のいずれかに記載の方法。
【請求項１１】
前記第１多変数回帰モデルは、第１線形多変数回帰モデルである、請求項１〜１０のいずれかに記載の方法。
【請求項１２】
第１回帰係数を、
材料の第２サンプルおよび第３サンプルの第１波長における透過率を測定し、
第２サンプルおよび第３サンプルの第２波長における透過率を測定し、
第２サンプルおよび第３サンプルのそれぞれの第１パラメーターを測定し、および
第１多変数回帰モデルの第１回帰係数を算出し、
第１波長および第２波長における第２サンプルの透過率の測定値は独立変数であり、第２サンプルの対応する第１パラメーターの測定値は第１多変数回帰モデルの第１式の従属変数であり、前記第１波長および第２波長における前記第３サンプルの透過率の測定値は独立変数であり、前記第３サンプルの対応する前記第１パラメーター測定値は前記第１多変数回帰モデルの第２式の従属変数である、
ことにより算出する段階をさらに有する請求項１〜１１のいずれかに記載の方法。
【請求項１３】
前記第１パラメーターＳは細孔率であり、前記第２サンプルおよび／または第３サンプルの前記第１パラメーターＳを測定する段階は、前記第２サンプルおよび／または前記第３サンプルの前記細孔率を下記式、
１−（サンプル密度／材料密度）、ここで、「サンプル密度」はサンプルの単位面積当たりの質量をサンプルの厚さで割ることにより測定したサンプルの密度であり、「材料密度」は細孔のない材料の既知の密度である、
を使用して算出する、請求項１２に記載の方法。
【請求項１４】
前記第１パラメーターＳは厚さであり、前記第２サンプルおよび／または第３サンプルの前記第１のパラメーターを測定する段階は、マイクロメーター、選択的には接触マイクロメーターを使用して前記第２サンプルおよび／または第３サンプルの厚さを測定する段階を有する、請求項１２に記載の方法。
【請求項１５】
前記第１波長および第２波長は分光法により決定される、請求項１〜１４のいずれかに記載の方法。
【請求項１６】
材料の典型的なスペクトルを決定する段階と、
第１サンプルのスペクトルを得る段階と、
散乱補正モデルを用いて前記第１サンプルの散乱補正パラメーターを決定する段階と、
散乱補正パラメーターを使用して第１パラメーターＳを算出する段階と、
第１サンプルの第２パラメーターＡを算出する段階であって、第２パラメーターは、第１サンプルの単位面積当たりの質量に関するパラメーターである段階と、
第１サンプルの、算出された第１パラメーターＳと、第１サンプルの、算出された第２パラメーターＡとを組み合わせて、第１サンプルの次のさらなるパラメーター、厚さ、単位面積当たりの質量、密度、および細孔率の少なくともいずれか一つを算出する段階と、により、
材料の第１サンプルの第１パラメーターＳを算出する段階を有する方法。
【請求項１７】
材料の典型的なスペクトルを決定する段階は、選択的に、材料の搬送されるサンプル上で測定されるスペクトルのローリング時間平均測定値を使用することにより、材料の複数のサンプルの測定されたスペクトルを平均する段階を有する、請求項１６に記載の方法。
【請求項１８】
第２回帰係数を含む第２多変数回帰モデルを使用して第１サンプルの第２パラメーターＡを算出する段階をさらに含み、第２パラメーターは、第１サンプルの単位面積当たりの質量ｇ／ｍ２に関するパラメーターである、請求項１６または１７に記載の方法。
【請求項１９】
第３波長において第１サンプルによって示される吸収量が第４波長において第１サンプルによって示される吸収量と異なる第３波長および第４波長を決定する段階と、
第３波長における放射線をフィルタリングする段階を含み、前記第３波長における前記第１サンプルの透過率を測定する段階と、
第４波長における放射線をフィルタリングする段階を含み、前記第４波長における前記第１サンプルの透過率を測定する段階と、
をさらに有する請求項１８に記載の方法。
【請求項２０】
前記第２回帰係数を、
材料の第４サンプルおよび第５サンプルの第３波長における透過率を測定し、
第４サンプルおよび第５サンプルの第４波長における透過率を測定し、
第４サンプルおよび第５サンプルのそれぞれの第２パラメーターを測定し、
第２多変数回帰モデルの第２回帰係数を算出することにより算出する段階をさらに有し、
前記第３波長および第４波長における前記第４サンプルの透過率の測定値は独立変数であり、第４サンプルの対応する第２パラメーターの測定値は第２多変数回帰モデルの第１式の従属変数であり、
前記第３波長および第４波長における前記第５サンプルの透過率の測定値は独立変数であり、第５サンプルの対応する第２パラメーターの測定値は第２多変数回帰モデルの第２式の従属変数である、請求項１８または１９に記載の方法。
【請求項２１】
前記第４サンプルおよび第５サンプルの前記第２パラメーターは、既知の領域のサンプルを重み付けすることによって測定される、請求項２０に記載の方法。
【請求項２２】
前記第３波長または第４波長は、第１波長または第２波長と同じである、請求項１９〜２１のいずれか一項に記載の方法。
【請求項２３】
前記第４サンプルおよび／または第５サンプルは、前記第２サンプルおよび／または第３サンプルと同じである、請求項１９〜２２のいずれか一項に記載の方法。
【請求項２４】
前記第１パラメーターＳは、第３波長および第４波長における透過率の測定のための散乱補正係数として使用される、請求項１９〜２３のいずれか一項に記載の方法。
【請求項２５】
第１サンプルの算出された第１パラメーターＳと、第１サンプルの算出された第２パラメーターＡとを組み合わせて、第１サンプルの次のさらなるパラメーター、厚さ、単位面積当たりの質量、密度、および細孔率の少なくともいずれか一つを算出する段階をさらに有する、請求項１８〜２３のいずれか一項に記載の方法。
【請求項２６】
組み合わせは、単純な乗算または単純な除算である、請求項２５に記載の方法。
【請求項２７】
算出された前記第１パラメーターＳと、算出された第２パラメーターＡとを組み合わせる段階は、第１サンプルの厚さ、単位面積当たりの質量、密度、または細孔率Ｔを、
T= a [（Sb + c）（Ad + e）] + f、
T= a [（Sb + c）/（Ad + e）] + f、
T= a [（Ad + e）/（Sb + c）] + f、および
T= a {A [（Sb）+ c]} + d、ここで、a、b、c、d、eおよびfは経験的に計算された定数、からなる群から選択された式を使用して算出する段階を含む、
請求項２５に記載の方法。
【請求項２８】
前記材料はバッテリーセパレーターフィルムであり、選択的にリチウムイオンバッテリーセパレーターフィルムである、請求項１〜２７のいずれか一項に記載の方法。